(57)【特許請求の範囲】
【請求項１】
利用者のマウス操作によって指定される画像内の位置およびサイズに基づいて画素抽出範囲を決定し、該画素抽出範囲を代表する色情報を抽出する色抽出装置において、
利用者のマウスボタンの押下げ開始によって指定される前記画像内のカーソル位置である１つの画素の位置が確定した後、前記１つの画素位置を前記画素抽出範囲の中心位置にして前記画素抽出範囲のサイズを変更可能な拡縮手段を備え、
前記拡縮手段は、予め定められた時間ごとに前記画素抽出範囲のサイズを、前記マウスボタンの押上げ開始から前記マウスボタンの押上げ終了するまでの間で順次拡大することによって、前記画素抽出範囲を代表する色情報が変化するように、前記画素抽出範囲に含まれる抽出されるべき画素数を順次拡大し、
前記画像を表示する表示画面上に、前記画素抽出範囲のサイズに応じた輪郭であって、前記画素抽出範囲と、前記画素抽出範囲の外側との境界を示す前記輪郭を、前記画像上に重ねて表示する輪郭表示手段を備えることを特徴とする色抽出装置。
【請求項２】
請求項１に記載の色抽出装置において、
前記色情報に基づいて、抽出した色の特性を表示する色特性表示手段を備えることを特徴とする色抽出装置。
【請求項３】
請求項１〜２のいずれかに記載の色抽出装置において、
前記利用者のマウスボタンの押下げ開始によって指定される前記画像内のカーソル位置である１つの画像の基準色と、該位置を基準とする前記画素抽出範囲内の各対象色とが予め定められた色差の範囲内であるか否かを判定する色差判定手段と、
前記画素抽出範囲内で、予め定められた色差以内の前記対象色の色情報のみ抽出する対象色情報抽出手段と
を備えることを特徴とする色抽出装置。
【発明の詳細な説明】
【０００１】
【発明の属する技術分野】
本発明は、利用者によって指定される画像内の位置およびサイズに基づいて抽出範囲を決定し、抽出範囲を代表する色情報を抽出する色抽出装置及びプログラムに関する。
【０００２】
【従来の技術】
従来より、画像を編集するための画像編集プログラムがある。この画像編集プログラムをコンピュータ上で実行すると、モニター上の画像編集枠内に表示された画像について、利用者は様々な編集を行うことができる。具体的には、利用者は、指定した色で画像を着色したり、その着色に用いる色を画像内から抽出したりすることができる。
【０００３】
この画像編集プログラムが実行されるコンピュータで行われる処理のうち、画像内から色を抽出するために実行される処理は色抽出処理と呼ばれ、いわゆる「スポイト」として広く知られている。この色抽出処理では、利用者によって位置およびサイズがマウス等を使って指定されると、その位置及びサイズに基づいて抽出範囲を決定し、その抽出範囲を代表する色情報を抽出する処理が実行される。
【０００４】
【発明が解決しようとする課題】
ところで、従来の色抽出処理では、利用者がサイズを指定すると、そのサイズが一旦記憶され、その後利用者により位置が指定されると、これらサイズ及び位置に基づいて抽出範囲を決定する処理等が行われていた。
【０００５】
しかし、従来の色抽出処理では、利用者が位置を指定した時点で抽出範囲が確定してしまうため、例えば、先に指定したサイズが大きすぎて不要な色まで抽出してしまった場合、たとえ指定した位置の変更が不要であったとしても、位置を変更することなくサイズだけを小さくするといった操作を行うことはできなかった。そのため、利用者は抽出範囲が適切な範囲に設定されるようにサイズを変更した上で、再び位置の指定を行わねばならず、効率よく色を抽出することができないという問題があった。
【０００６】
そこで、本発明では、従来品に比べ、効率よく色情報を抽出することができる色抽出処理を実行するコンピュータである色抽出装置及びそのプログラムを提供することを目的とする。
【０００７】
【課題を解決するための手段及び発明の効果】
上記目的を達するためになされた請求項１記載の発明は、利用者のマウス操作によって指定される画像内の位置およびサイズに基づいて画素抽出範囲を決定し、該画素抽出範囲を代表する色情報を抽出する色抽出装置において、
利用者のマウスボタンの押下げ開始によって指定される前記画像内のカーソル位置である１つの画素の位置が確定した後、前記１つの画素の位置を前記画素抽出範囲の中心位置にして前記画素抽出範囲のサイズを変更可能な拡縮手段を備え、
前記拡縮手段は、予め定められた時間ごとに前記画素抽出範囲のサイズを、前記マウスボタンの押上げ開始から、前記マウスボタンの押上げ終了するまでの間で順次拡大することによって、前記画素抽出範囲を代表する色情報が変化するように、前記画素抽出範囲に含まれる抽出されるべき画素数を順次拡大し、
前記画像を表示する表示画面上に、前記画素抽出範囲のサイズに応じた輪郭であって、前記画素抽出範囲と、前記画素抽出範囲の外側との境界を示す前記輪郭を、前記画像上に重ねて表示する輪郭表示手段を備えることを特徴とする。
この色抽出装置では、マウスの操作によって位置を指定した後で、適切な画素抽出範囲となるようサイズを変更することができるので、この色抽出装置を用いると、従来の色抽出装置のようにサイズの指定に伴って位置の再指定が必要となることはなく、効率良く色情報を抽出することができる。
また、このようにすると、マウスの操作によって位置を指定する操作を除けば、サイズを変更する操作が不要になるので、簡単な操作で色情報を抽出することができる。
【０００８】
尚、画素抽出範囲のサイズを変更する方法としては、予め定められた時間ごとにサイズを順次拡大する方法の他に、マウスの左クリック（または右クリック）の回数に応じてサイズを拡大したり、キーボードのスペースキーの押下回数に応じてサイズを拡大したり、数字キーで指定された数値に応じてサイズを拡大するなど、どのような方法でもよい。
【０００９】
ところで、従来の色抽出装置は、サイズを数値（３ピクセル四方、５ピクセル四方等）で指定することができたので、利用者は色抽出範囲のおおよその範囲は把握できたが、画面上で明確に把握することができなかった。そのため、適切と思われるサイズを指定しても、利用者が希望しない色情報まで抽出されることがしばしば発生した。
【００１０】
そこで、この請求項１記載の色抽出装置では、画素抽出範囲の輪郭を表示しているので、利用者はどの範囲の色情報が抽出されるのか画面上で明確に把握することができる。従って、この色抽出装置を用いれば、サイズを指定する際、色情報の抽出を希望しない位置の色情報が色抽出範囲に入らないようサイズを確実に指定することができるので、一層効率よく色情報を抽出することができる。
【００１１】
次に、請求項２記載の色抽出装置は、請求項１に記載の色抽出装置において、前記色情報に基づいて、抽出した色の特性を表示する色特性表示手段を備えることを特徴とする。
この色抽出装置では、抽出した色の特性が表示されるため、利用者はどんな色の色情報が抽出されたのか明確に把握することができる。従って、この色抽出装置を用いれば、表示される色の特性を見ながらサイズを指定することで、利用者が抽出を希望する色情報を抽出可能なサイズを確実に指定することができるので、一層効率よく色情報を抽出することができる。
【００１２】
尚、ここで色の特性とは、各色情報で表される画素の数がいくつあるかを棒グラフで表したヒストグラムや、色情報は通常色を数値化した数値情報であるので、その数値の平均値や、最頻度値、中間値、中央値をいう。
次に、請求項３記載の色抽出装置は、請求項１〜２のいずれかに記載の色抽出装置において、前記利用者のマウスボタンの押下げ開始によって指定される前記画像内のカーソル位置である１つの画像の基準色と、該位置を基準とする前記画素抽出範囲内の各対象色とが予め定められた色差の範囲内であるか否かを判定する色差判定手段と、前記画素抽出範囲内で、予め定められた色差以内の前記対象色の色情報のみ抽出する対象色情報抽出手段とを備えることを特徴とする。
この色抽出装置では、基準色から予め定められた色差以内の色情報しか抽出されないので、指定した位置が悪かったり、狭い部分の色を抽出する場合でも、この色抽出装置を用いれば、利用者の意図に沿った色情報のみを的確に抽出することができる。
【００１３】
【００１４】
【００１５】
【００１６】
【００１７】
【００１８】
【発明の実施の形態】
以下、本発明が適用された実施形態について説明する。
尚、以下の説明で利用する図面のうち、図１は本実施形態の画像編集プログラムが実行されるパーソナルコンピュータのブロック図である。
【００１９】
本実施形態のパーソナルコンピュータ（以下「ＰＣ」という）１は、図１に示すように、ＣＰＵ１１、ＲＯＭ１３、ＲＡＭ１５を備える中央制御装置１０を備えている。また、ＰＣ１は、マウス５０やキーボード５２等の入力機器と通信するための入力機器インターフェイス１７と、モニター５４と通信するためのモニタインターフェイス１９と、本実施形態の画像編集プログラムや画像情報等を記録するハードディスク２１（書き換え可能な不揮発性の記憶手段）とを備えている。そして、このＰＣ１では、ＣＰＵ１１、ＲＯＭ１３、ＲＡＭ１５、入力機器インターフェイス１７、モニタインターフェイス１９、ハードディスク２１及びＰＣ１で利用されるその他の機器３０が、バス３２で接続され、各種処理を実行する際に必要な通信がこのバス３２を介して行われている。
【００２０】
マウス５０は、図２に示すように、手で包むことができる大きさに形成された本体部５０ａと、この本体部５０ａの先端部に取り付けられた左クリック用のボタン５０ｂ及び右クリック用のボタン５０ｃとを備えている。
次に、本実施形態の画像編集プログラムを実行した時に、モニターに表示される画像について説明する。
【００２１】
ここで、図３は、画像編集プログラムを実行した時に表示される画像の模式図である。
本実施形態の画像編集プログラムを実行すると、モニター５４の画面上には、画像編集枠５４ａが表示され、その画像編集枠５４ａの周囲には画像編集用のスポイトアイコン等の様々なアイコン５４ｂが複数表示される。
【００２２】
また、本実施形態では、この画像編集枠５４ａの周囲には、これらアイコンの他に、後述するヒストグラム５４ｃや、抽出範囲から抽出した色の平均値５４ｄが表示される。
さらに、本実施形態では、マウス５０の操作に伴ってモニター５４の画面上を移動するマウスカーソル５４ｅが表示される。
【００２３】
本実施形態では、マウス５０を操作してマウスカーソル５４ｅを各アイコン５４ｂに移動し、マウスカーソル５４ｅとアイコン５４ｂとが重なった位置で左クリック用のボタン５０ｂを押下すると、いずれかのアイコン５４ｂが指定され、指定されたアイコン５４ｂに対応した画像編集用の各処理を実行することができる。
【００２４】
次に、スポイトアイコン５４ｂが指定されたときに行われる色抽出処理について説明する。
ここで図４は色抽出処理のフローチャート、図５は抽出範囲及びヒストグラムを説明するための模式図で、図５（ａ）〜（ｃ）が抽出範囲の模式図、図５（ｄ）〜（ｆ）がヒストグラムの模式図である。尚、図５では、説明簡単のため、ＲＧＢ信号のうちいずれか一色分の色情報を、１〜１０の範囲で示している。
【００２５】
この色抽出処理は、マウスカーソル５４ｅとスポイトアイコン５４ｂとが重なっているときにマウス５０の左クリック用のボタン５０ｂがクリックされると開始される。
その後、利用者はマウス５０を操作して、色情報を抽出したい位置までマウスカーソル５４ｅを移動するので、本処理が開始された直後に行われるＳＴＥＰ１（以下「ＳＴＥＰ」は「Ｓ」と表記する）の処理では、まず、マウスカーソル５４ｅがその位置まで移動された否かが判定される。具体的には、Ｓ１の判定は、マウス５０の左クリック用のボタン５０ｂが押下されたか否かが判定される。そして、この判定で否定判定された場合は（Ｓ１：ＮＯ）、Ｓ１の判定を繰り返し、この判定で肯定判定された場合は（Ｓ１：ＹＥＳ）、Ｓ３の処理を実行する。
【００２６】
Ｓ３では、Ｓ１でマウス５０の左クリック用のボタン５０ｂが押下されたときにマウスカーソル５４ｅが表示されていた位置の画素の位置情報及び色情報が基準画素値としてＲＡＭ１５に記憶される。ここで色情報とは、色を数値で表した数値情報であり、本実施形態ではＲＧＢ信号で表されている情報である。そしてこの処理（Ｓ３）の後、次にＳ５の処理が実行される。尚、基準画素値として記憶される情報のうち色情報で表される色が、本発明の基準色に相当する。
【００２７】
Ｓ５では、カウンタ値が「１」に設定され、そのカウンタ値がＲＡＭ１５に記憶される。そしてこのＳ５では、このカウンタ値及びＳ３でＲＡＭ１５に記憶された位置情報に基づいて、図５の模式図のうち、図５（ａ）に示すように、Ｓ１でマウス５０の左クリックのボタン５０ｂが押下された位置を中心とする３ピクセル四方の範囲が抽出範囲として設定される。このＳ５で設定されたカウンタ値は、以後、後述するＳ２３の処理が実行される度にカウンタ値が１づつ繰り上げられ、カウンタ値が「２」のときは図５（ｂ）に示すように、５ピクセル四方の範囲が抽出範囲として設定され、カウンタ値が「３」のときは図５（ｃ）に示すように、７ピクセル四方の範囲が抽出範囲として設定され、以後カウンタ値が上がる毎に、カウンタ値を「ｔ」として「２ｔ＋１」ピクセル四方の範囲が抽出範囲として設定される。そしてこの処理（Ｓ５）の後、次にＳ７の処理が実行される。このＳ５及びＳ２３の処理が、本発明の拡縮手段に相当する。
【００２８】
Ｓ７では、Ｓ５あるいはＳ２３で設定された抽出範囲の輪郭の画像βが、画像編集枠５４ａに表示された画像α上に重ねて表示される（図３参照）。そしてこの処理（Ｓ７）の後、Ｓ９の処理が実行され、このＳ９の処理では、Ｓ５で設定された抽出範囲内に位置する各画素の色情報がそれぞれ抽出され、これら各画素の色情報はＲＡＭ１５に一旦記憶される。そしてこの処理（Ｓ９）の後、次にＳ１１の処理が実行される。尚、このＳ９で抽出される画素の色情報で表される色が、本発明の対象色に相当する。このＳ７の処理が輪郭表示手段に相当する。
【００２９】
Ｓ１１では、Ｓ９で抽出された色情報に基づいて、ヒストグラム５４ｃが作成され、そのヒストグラム５４ｃがモニター５４上に表示される。このヒストグラムは、図５（ｄ）〜（ｆ）に示す模式図のように、各色情報の画素がいくつあるかを、横軸を色情報、縦軸を画素の数で表した棒グラフで、図５（ｄ）に示すように、抽出範囲が３ピクセル四方である場合、例えば、色情報０の画素が２個、色情報３の画素が３個等であることを示すヒストグラムが表示される。また図５（ｅ）に示すように、抽出範囲が５ピクセル四方である場合、例えば色情報０の画素が４個、色情報３の画素が６個等であることを示すヒストグラムが表示され、抽出範囲が７ピクセル四方である場合、図５（ｆ）に示すように、色情報０の画素が４個、色情報３の画素が７個等であることを示すヒストグラムが表示される。
そしてこの処理（Ｓ１１）の後、次にＳ１３の処理が実行される。このＳ１１の処理が本発明の色特性表示手段に相当する。
【００３０】
Ｓ１３では、Ｓ９で抽出された各画素の色情報（対象色）と、Ｓ３でＲＡＭ１５に記憶された基準画素値の色情報（基準色）とが画素毎に比較され、Ｓ９で抽出された各画素の色情報が、基準画素値の色情報から予め定められた色差の範囲内であると判定されたら（Ｓ１３：ＹＥＳ）、その画素の色情報をＲＡＭ１５に記憶する処理（Ｓ１５）が実行され、その後Ｓ１７の処理が実行される。この色差の範囲（抽出色差範囲）は、前記記憶手段の所定の領域に書き換え可能に記憶されている。一方、Ｓ９で抽出された各画素の色情報が、基準画素値の色情報から予め定められた許容範囲外であると判定されたら（Ｓ１３：ＮＯ）、Ｓ１７の処理が実行される。
【００３１】
尚、Ｓ１５の処理が本発明の色差判定手段に相当し、Ｓ１５〜Ｓ１７を実行する処理が本発明の対象色情報抽出手段に相当する。
Ｓ１７では、Ｓ１３の判定が、Ｓ９で抽出された全ての画素の色情報について行われたか否かが判定され、全ての画素について判定されていなければ（Ｓ１７：ＮＯ）、再びＳ１３の処理を実行して、全ての画素の色情報が、基準画素値の色情報と比較されるまでＳ１３〜Ｓ１７の処理が繰り返し実行される。そして、全ての画素についての判定が終了したと判定されたら、次にＳ１９の処理を実行する。
【００３２】
Ｓ１９では、Ｓ１で押下されたマウス５０の左クリック用のボタン５０ｂの押下が終了したか否か、すなわち左クリック用のボタン５０ｂを押下していた指が、ボタンから離れたか否かが判定される。そして、左クリック用のボタン５０ｂから指が離れたと判定されたら（Ｓ１９：ＹＥＳ）、次にＳ３１の処理が実行される。一方、Ｓ１９で、左クリック用のボタン５０ｂから指がまだ離れていないと判定されたら（Ｓ１９：ＮＯ）、次にＳ２１の処理が実行される。
【００３３】
Ｓ２１では、Ｓ７の処理が開始されてから０．５秒（予め設定された時間の一例である）経過したか否かが判定され、０．５秒経過していなければ（Ｓ２１：ＮＯ）、再びＳ１９の処理を実行して、マウスの左クリック用のボタンが放されない限り（Ｓ１９：ＹＥＳ）、Ｓ１９の判定が開始されてから０．５秒が経過するまで、Ｓ１９〜Ｓ２１の処理が繰り返し実行される。そして、マウスの左クリック用のボタンの押下が終了したか否かの判定が終了してから、０．５秒が経過したと判定されたら（Ｓ２１：ＹＥＳ）、次にＳ２３の処理が実施される。
【００３４】
Ｓ２３では、Ｓ２１で肯定判定されたとき（Ｓ２１：ＹＥＳ）、ＲＡＭ１５に記憶されているカウンタ値を参照し、そのカウンタ値を１つ繰り上げる処理が実行される。そして、その後前述したＳ７以下の処理が再び実行される。
Ｓ３１では、Ｓ１で押下されたマウス５０の左クリック用のボタン５０ｂの押下が終了し、Ｓ１９で肯定判定された場合には、Ｓ７で画像に重ねて表示していた抽出範囲の輪郭βの表示を終了する。そして、次にＳ３３の処理が実行される。
【００３５】
Ｓ３３では、Ｓ１５でＲＡＭ１５に記憶された色情報から平均値５４ｄを算出して、その算出値５４ｄをモニター５４上に表示する。
Ｓ３３の処理の終了後、色抽出処理を終了する。
以上説明した色抽出処理を実行すると、以下のような効果がある。
【００３６】
本実施形態では、マウス５０の左クリック用のボタン５０ｂを押下して位置を指定した後、その場で適切な抽出範囲βとなるようにサイズを変更する（Ｓ５、Ｓ２３）ことができるので、本実施形態の色抽出処理を実行すると、従来のようにサイズの変更に伴って位置の再指定が必要になるといったことはなく、効率良く色情報を抽出することができる。
【００３７】
また、本実施形態では、マウス５０の左クリック用のボタン５０ｂが押下され、抽出範囲の位置が指定された後、ボタン５０ｂを押下した位置を中心に抽出範囲のサイズが０．５秒間隔毎に拡大する。そのため本実施形態の色抽出処理を実行すると、位置を指定する操作（Ｓ１）を除けば、サイズを変更する操作が不要になるので、色情報をより簡単な操作で抽出することができる。
【００３８】
また、本実施形態では、抽出範囲の輪郭βが表示されるため、利用者はどの範囲の色情報が抽出されるのか画面上で明確に把握することができる。従って、本実施形態の色抽出処理を実行すれば、サイズを指定する際、色情報の抽出を希望しない位置の色情報が色抽出範囲に入らないようサイズを確実に指定することができるので、より一層効率よく色情報を抽出することができる。
【００３９】
また本実施形態では、抽出した色の平均値５４ｄが表示されるため、利用者はどんな色の色情報が抽出されたのかを明確に把握することができる。従って、この本実施形態の色抽出処理を実行すれが、表示される色の平均値を見ながらサイズを指定することで、利用者が抽出を希望する色情報を抽出可能なサイズを確実に指定することができるので、より一層効率よく色情報を抽出することができる。
【００４０】
また、本実施形態では、基準色から予め定められた色差以内の色情報しか抽出されないので（Ｓ１３、Ｓ１５）、指定した位置が悪かったり、狭い部分の色を抽出する場合でも、本実施形態の色抽出処理を実行すれが、利用者の意図に沿った色情報のみを的確に抽出することができる。具体的には、図６に示す模式図のように、ある境界線下側に利用者が抽出したい色があり、上側に抽出したくない色があり、しかも境界線の近傍でしか下側の色を抽出することができない場合が想定される。この場合、本実施形態では、上側の非抽出領域の色値と下側の抽出領域の色値の差である色差よりも小さな値を抽出範囲として予め入力しておき、そして境界線の下側（図６中の「基準点」部分）でマウス５０のボタン５０ｂをクリックすれば、抽出範囲が大きくなっても、Ｓ１３では下側の画素（図６中の△印の画素）の色情報のみが抽出され、上側の画素（図６中の×印の画素）の色情報はＳ１３では否定判定されＳ１５で記憶されないので、利用者が意図する色情報のみを的確に抽出することができるのである。
【００４１】
尚、本発明の実施の形態は、上記実施形態に何ら限定されるものではなく、本発明の技術的範囲に属する限り種々の形態を採り得ることはいうまでもない。
例えば、本実施形態では、ヒストグラム５４ｃや、抽出した色情報から算出された平均値５４ｄを表示したが、その他に、抽出された最も多い色情報を最頻度値として表示してもよい。また、抽出された色情報を値の大小で並べかえたときに中央になる値を（すなわち、値の小さい方及び大きい方から発生した色情報の数を換算し、全部の色情報の数の５０％（中央）になる値を）中間値として表示してもよい。また色情報の最大値と色情報の最小値の中間の値を中央値として表示してもよい。
【００４２】
また、本実施形態では、予め定められた時間（０．５秒）毎にサイズを変更したが、マウス５０の左クリックのボタン５０ｂの押下回数に応じてサイズを大きくしたり、マウス５０の右クリック用のボタン５０ｃの押下回数に応じてサイズを小さくしたりしてもよい。また、キーボード５２のスペースキーの押下回数に応じてサイズを大きくしたり、数字キーで指定された数値に応じてサイズを変更するなど、どのような方法でもよい。
【００４３】
また、抽出範囲の輪郭は、本実施形態では矩形領域とされていたが、抽出範囲の形状は、円形等他の形状であってもよい。
また本実施形態の色抽出装置及びその色抽出装置としてコンピュータを動作させるプログラムは、輪郭表示手段（処理）、色差判定手段（処理）、対象色情報抽出手段（処理）を備えているが、輪郭表示手段（処理）がない形式に具体化することができる。この場合、色差判定手段（処理）と対象色情報抽出手段（処理）を有するので、オペレータは抽出範囲を視認しなくても抽出色差範囲内の画素の色情報のみ抽出することができるのである。一方、輪郭表示手段（処理）を有するかわりに色差判定手段（処理）と対象色情報抽出手段（処理）をなくした場合は、オペレータは抽出範囲を認識しながら色情報の抽出を行うことができるので、オペレータの意図した抽出範囲のみの色情報の抽出が可能である。
【００４４】
更に、プログラムとしては、コンピュータに読取可能に記録媒体に記憶させて供給することができ、しかも、ネットワークを介してのコンピュータの記録媒体から他のコンピュータにインストールすることもできる。
【図面の簡単な説明】
【図１】  本実施形態の画像編集プログラムを実行するコンピュータのブロック図である。
【図２】 マウスの斜視図である。
【図３】 モニターで表示される画面の模式図である。
【図４】 色抽出処理のフローチャートである。
【図５】  抽出範囲及びヒストグラムを説明するための模式図で、図５（ａ）〜（ｃ）が抽出範囲の模式図、図５（ｄ）〜（ｆ）がヒストグラムの模式図である。
【図６】 境界部分で色情報を抽出する様子を説明するための模式図である。
【符号の説明】
５０…マウス、５０ｂ…左クリック用のボタン、５４…モニタ、５４ａ…画像編集枠、５４ｂ…アイコン、５４ｃ…ヒストグラム、５４ｄ…平均値、５４ｅ…マウスカーソル
【図１】
0004333079.tif 000002
【図２】
0004333079.tif 000003
【図３】
0004333079.tif 000004
【図４】
0004333079.tif 000005
【図５】
0004333079.tif 000006
【図６】
0004333079.tif 000007